(57)【要約】      （修正有）【課題】狭い水周りにおいて余り場所を専有することなく、お手入れが簡単で清潔が容易に保たれる、キャラクターつきのかわいいスポンジホルダーを提供する。【解決手段】壁部に取り付ける取付け部２をほぼ中央に具えたホルダー本体とホルダー本体から延長して端部が互いに向かい合った弾力性及び可撓性を有する一対の湾曲した腕部３とからスポンジ４のホルダーを形成する。さらに、素材は合成樹脂シート等で形成され、前記ホルダー本体と前記腕部３の両方又は一方をキャラクター形状に形成してスポンジホルダーとする。【選択図】図２
0003180881.tif 000002
【実用新案登録請求の範囲】
【請求項１】
壁部に取り付ける取付け部をほぼ中央に具えたホルダー本体と同ホルダー本体から延長して端部が互いに向かい合った弾力性及び可撓性を有する一対の湾曲した腕部を設けたことを特徴とするスポンジホルダー。
【請求項２】
請求項１記載のスポンジホルダーにおいて、前記ホルダー本体及び前記腕部を、弾力性及び可撓性を持つ合成樹脂のシートで形成したことを特徴とするスポンジホルダー。
【請求項３】
請求項１又は請求項２記載のスポンジホルダーにおいて、前記ホルダー本体と前記腕部の両方又は一方をキャラクター形状に形成したことを特徴とするスポンジホルダー。
【考案の詳細な説明】
【技術分野】
【０００１】  本考案は、スポンジを支えるスポンジホルダーに関する。
【背景技術】
【０００２】  従来のスポンジホルダーは、立体的なプラスチック又はワイヤーで出来た水切り籠や水切り穴のあるお皿タイプのものや棒状の突起物が一本かそれ以上あるタイプのものがほとんどだった。【０００３】  先行技術としては以下に挙げるものがある。実開平３−４９０６１号公報にはスポンジ掛け具として、突起物が表面に多数形成された保持体を直接又は間接に壁面に取り付けた構成からなっているものが記載されている。実開平３−４９０６１号公報には台所用たわしホルダーとして、コイル状バネでホルダー本体を形成して支持体としては吸盤等を使用している構成からなるものが記載されている。登録実用新案第３０２０４２４号広報にはスポンジホルダーとして、下方のみ開放された箱体ホルダーで背面に設けられた吸盤とから構成されたものが記載されている。特開平８−１０９９１６号公報には、吸盤材及びこの吸盤材を用いたスポンジたわしとして、スポンジに直接接着できる吸盤付きシートを利用した構成のものが記載されている。特開平８−２１５２７５号公報には浴槽内取付け擦り具として、スポンジに直接またはスポンジの間に板を挟んで吸盤を設けた構成のものが記載されている。特開２００２−４７５号公報には洗い具ホルダーとして、ベース部材に２本以上のアームの突起を形成した構造のものが記載されている。特開２００２−３２０５８６号公報には擦洗具ホルダーとして、１本の棒状突起物と棒状突起物の基端に取着可能な壁面取着手段をそなえた構造のものが記載されている。特開２００６−３１２００３号公報にはスポンジホルダーとして、吸盤を設けた筒状の物であって吸盤と反対面に面ファスナーを設けた構造のものが記載されている。【０００４】
【特許文献１】実開平３−４９０６１号公報
【特許文献２】実開平７−２７４４５号公報
【特許文献３】登録実用新案第３０２０４２４号公報
【特許文献４】特開平８−１０９９１６号公報
【特許文献５】特開平８−２１５２７５号公報
【特許文献６】特開２００２−４７５号公報
【特許文献７】特開２００２−３２０５８６号公報
【特許文献８】特開２００６−３１２００３号公報
【考案の概要】
【考案が解決しようとする課題】
【０００５】  実開平３−４９０６１号公報に記載されたスポンジ掛け具、特開２００６−３１２００３号公報に記載されたスポンジホルダーの突起物が表面に多数形成された保持体は洗いが簡単ではなく清潔が保てない。特に後者のスポンジホルダーは筒状ホルダーであることから清潔を保ちにくい。実開平７−２７４４５号公報に記載された台所用たわしホルダーは、コイルバネの直径はスポンジを挟み込むに必要な大きさが必要であり、籠や皿タイプの多くのホルダーと同じく場所を専有する。登録実用新案第３０２０４２４号公報に記載されたスポンジホルダーは、擦洗具の大きさより一回り大きい箱体が必要である上に、できればスポンジ全体に風通しがあったほうが良いが、一面のみであるから乾きにくい。特開平８−１０９９１６号公報に記載された吸盤材及びこの吸盤材を用いたスポンジたわしと特開平８−２１５２７５号公報に記載された浴槽内取付け擦り具では、スポンジと吸盤は取り外しが出来ないよう固定されているため、吸盤の近くは清潔を保ちにくい点と日常使用する消耗品のスポンジにはあまりコストをかけたくない。特開２００２−４７５号公報に記載された洗い具ホルダーと特開２００２−３２０５８６号公報に記載された擦洗具ホルダーはアームの高さは最低スポンジの厚さ分は必要で占有場所をとるしぶつかったら痛い。特開２００２−３２０５８６号公報に記載された擦洗具ホルダーは専用の切り込みの入ったスポンジしか使用できない不便がある。そこで本考案は、以上のような先行文献の欠点を改良して、狭い水周りにあって出来るだけ場所を専有しない、容易に洗うことが出来て清潔で見た目もかわいいスポンジホルダーを提供することを目的とする。
【課題を解決するための手段】
【０００６】  本考案は上記目的を達成させるために、壁部に取付ける取付け部をほぼ中央に具えたホルダー本体とホルダー本体が延長して端部が互いに向かい合った弾力性及び可撓性を有する一対の湾曲した腕部を設けたスポンジホルダーを提供し、又このスポンジホルダーの本体及び腕部を弾力性及び可撓性を持った合成樹脂のシートで形成したスポンジホルダーを提供し、さらには、前記ホルダー本体と前記腕部の両方又は一方をキャラクター形状に形成したスポンジホルダーを提供している。
【考案の効果】
【０００７】  以上のように、本考案のスポンジホルダーは弾力性・可撓性がある柔らかい樹脂素材の薄いシートであることから、水周りの作業にあたって、従来のホルダーより場所をとらず邪魔になることがない、流しのシンクや風呂等の洗い場で作業中の人が本考案のホルダーに強くぶつかっても怪我をすることがない。シートであることから手入れが簡単で清潔が容易に保たれる。このホルダーは構造上非常にシンプルで、製造コストが安価で容易に製造できる、さらに、両腕部にスポンジが挟み込まれた状態は見た目には両腕がスポンジを抱え込んでいるようにみえてしぐさがかわいい。それによる癒し効果も提供できる。
【図面の簡単な説明】
【０００８】
【図１】本考案の正面図
【図２】本考案にスポンジをかけた状態の正面図
【図３】本考案にスポンジをかけた状態の真横図
【図４】本考案のキャラクター付きの一例を示す正面図
【図５】キャラクター付き本考案に小さめのスポンジを挟んだ状態の一例図
【図６】キャラクター付き本考案に大き目のスポンジを挟んだ状態の一例図
【考案を実施するための形態】
【０００９】  以下本考案の実施の形態を説明する。図１ないし図３において、スポンジホルダーは、壁部６に取り付ける取付け部２をほぼ中央に具えたホルダー本体１とホルダー本体１から延長して端部が互いに向かい合った弾力性及び可撓性を有する一対の湾曲した腕部３とから形成されている。ホルダー本体１及び腕部３の素材は合成樹脂シートで形成され、図４のようにホルダー本体１と腕部３をネコに、図５、図６のように他のさまざまなキャラクターに形成した見た目もかわいいスポンジホルダーである。なお、ホルダー本体１、腕部３は合成樹脂シートで形成されたものを示しているが、これらの素材は合成樹脂シートに限らず樹脂、シリコン等のような弾力性及び可撓性をもつ素材であればなんでも良い。
本考案は以上のような個性であり、これを実際に使用する例を挙げて説明をする。シンクの壁に本考案のホルダーを設置した場合、でっぱりは吸盤の厚さに等しく、素材は柔らかいシートであるため邪魔にならずぶつかっても怪我をすることがない。限られた広さのシンク同様、狭い風呂場を老人や元気な子供が利用しても、同様でぶつかっても怪我をすることがない。本考案のホルダーが、シートであることから洗いが簡単で容易に清潔を保つことが出来る。擦洗具としてのスポンジは食器洗い用、風呂桶掃除用・体洗い用・トイレ掃除用・ペット用品専用洗い・洗車用等々、一家庭内でも複数の大小さまざまのサイズを利用しているが本考案のホルダーは、腕部３が、弾力性及び可撓性があることから食器洗い用の小さいサイズから洗車用までの大きいサイズにも対応できる。図５の食器洗い用の小さいサイズは両腕にすっぽり入り、大きい洗車用などは、厚みの薄い方を両腕部に挟みこむように奥に押し込むと腕からはみでるが腕部の弾力性及び可撓性によって容易には落ちることがない。シートが滑り止め効果のある合成樹脂等からなっている点とさらにはスポンジ自体が滑り止めの性質がある点からも容易には滑り落ちない。このようにひとつのサイズのホルダーで、大小のさまざまなサイズに対応できる便利さがある。キャラクターの付いた小さいホルダーが大きいスポンジを抱えている様子はかわいいものである。また同じ空間に、ペット用品洗い専用スポンジと洗面所掃除用スポンジがある場合、違ったキャラクターのホルダーを使用することでそのスポンジが何専用のものか区別する便利さや楽しみ方もできる。またスポンジホルダーとしてばかりでなく、プラスチック等の軽いしゃもじを掛けることができるし、しゃもじに形の似ている柄の付いた幅の広い刷毛なども掛けることができる。乾燥した香辛料や花など軽いものは、まず滑り止めの効いた筒を本考案のスポンジホルダーに持たせてその中に差し込むことで保持できる。台所にある小物例えば輪ゴムやピンチを腕部３にちょっと掛けて置いたりもできる。また平面に直接敷いて滑り止めシートとして利用することも可能である。使用中も使用していない時もキャラクターがかわいいしぐさで「ママーお手伝いしますよー」と語りかけているそのようなかわいい癒しの役目も果たせるホルダーである。
【００１０】  本考案のスポンジホルダーはキャラクター等のないシンプルなものでもよく、吸盤はその他の手段、例えばマグネットにも変更可能であるし、シートは凹凸のあるものや棒状等に変更しても良い。なお、ホルダー本体、腕部は合成樹脂で形成されたものを示しているが、これらの素材は合成樹脂に限らず樹脂、シリコン等のような弾力性及び可撓性をもつ素材であればなんでも良い。
【符号の説明】
【００１１】１      ホルダー本体
２      取付け部
３      腕部
４      スポンジ
５      吸盤
６      壁部
【図１】
0003180881.tif 000003
【図２】
0003180881.tif 000004
【図３】
0003180881.tif 000005
【図４】
0003180881.tif 000006
【図５】
0003180881.tif 000007
【図６】
0003180881.tif 000008